(57)【要約】  【課題】クリップとしての機能を低下させることなく、角穴等を有さない綺麗でしかも大きな面積の広告面を容易に形成し得るコーナクリップを提供する。  【解決手段】挟持対象物Ｐの角部Ｃを挟持するコーナクリップ１であって、挟持対象物Ｐの角部Ｃの表裏両側に配置される１対のベース板２と、１対のベース板２における挟持対象物Ｐの中央部側が相互に接近し、且つ挟持対象物Ｐの角部Ｃを挟む２つの辺Ｓに当接して該２つの辺Ｓを位置規制するように、両ベース板２を連結する１対のバネ部材３と、１対のベース板２の外面側にそれぞれ固定したカバー部材５であって、挟持対象物Ｐの中央部側の先端部に挟持対象物Ｐの挟持部５ａを設け、挟持対象物Ｐの角部Ｃ側にバネ部材３の付勢力に抗して、該挟持部５ａを開操作するための操作部５ｂを設けたカバー部材５とを備えた。【選択図】図１
2012245656.tif 000002
【特許請求の範囲】
【請求項１】
挟持対象物の角部を挟持するコーナクリップであって、
前記挟持対象物の角部の表裏両側に配置される１対のベース板と、
前記１対のベース板における前記挟持対象物の中央部側が相互に接近し、且つ前記挟持対象物の角部を挟む２つの辺に当接して該２つの辺を位置決めするように、両ベース板を連結する１対のバネ部材と、
前記１対のベース板の外面側にそれぞれ固定したカバー部材であって、前記挟持対象物の中央部側の先端部に挟持対象物の挟持部を設け、前記挟持対象物の角部側に前記バネ部材の付勢力に抗して、該挟持部を開操作するための操作部を設けたカバー部材と、
を備えたコーナクリップ。
【請求項２】
前記カバー部材の外面全面を平坦な表示面で構成した請求項１記載のコーナクリップ。
【請求項３】
前記バネ部材として、途中部が挟持対象物の角部を挟む２つの辺に沿ってそれぞれ配置可能なコ字状の板バネを用いた請求項１記載のコーナクリップ。
【請求項４】
前記カバー部材の裏面側にベース部が嵌合する凹部を形成した請求項１〜３のいずれか１項記載のコーナクリップ。
【請求項５】
前記カバー部材の挟持部を円弧状に形成し、前記挟持部の円弧の突出側を突き合わせて、前記カバー部材を１対のベース板に固定した請求項１〜４のいずれか１項記載のコーナクリップ。
【発明の詳細な説明】
【技術分野】
【０００１】
本発明は、紙片などの挟持対象物の角部を挟持するコーナクリップに関する。
【背景技術】
【０００２】
紙片などの挟持対象物の角部を挟持するコーナクリップとして、略三角形状の２個１対のクリップ本体であって、該三角形の一端縁部が挟持対象物を挟持する挟圧端縁部とされ、その各挟圧端縁部が対向状となるよう重合状に配置されたクリップ本体と、前記挟圧端縁部の両端に連接する他の二端縁部の対向する位置において、前記１対のクリップ本体を連結する略コ字状に屈曲したバネ部材とを備え、前記クリップ本体のうちの前記挟圧端縁部に対向する三角形の隅部をクリップ開閉操作部とされたものが提案され、実用化されている。
【先行技術文献】
【特許文献】
【０００３】
【特許文献１】特開平７−３２９４７０号公報
【発明の概要】
【発明が解決しようとする課題】
【０００４】
前記特許文献１記載のコーナクリップは、紙片等の挟持対象物の角部を保持するので、１つのクリップで、挟持対象物がズレたりしないように、角部を揃えて安定性よく挟持対象物を挟持でき、しかもクリップ本体が挟持対象物から側方へ突出することを極力防止して、挟持対象物を挟持した状態での全体的な見栄え性も向上できる。しかし、クリップ本体にバネ部材を固定するため、クリップ本体の外面には、バネ部材の取付用凹部を、金型構造を複雑にすることなく形成するため、取付位置に対応させて２つの角穴が形成され、該角穴によりクリップの外観が低下したり、クリップを販売促進用の商品に適用した場合には、広告の見栄え性が低下したり、広告面積が狭くなったりするという問題があった。
【０００５】
本発明の目的は、クリップとしての機能を低下させることなく、角穴等を有さない綺麗でしかも大きな面積の広告面を容易に形成し得るコーナクリップを提供することである。
【課題を解決するための手段】
【０００６】
本発明に係るコーナクリップは、挟持対象物の角部を挟持するコーナクリップであって、前記挟持対象物の角部の表裏両側に配置される１対のベース板と、前記１対のベース板における前記挟持対象物の中央部側が相互に接近し、且つ前記挟持対象物の角部を挟む２つの辺に当接して該２つの辺を位置決めするように、両ベース板を連結する１対のバネ部材と、前記１対のベース板の外面側にそれぞれ固定したカバー部材であって、前記挟持対象物の中央部側の先端部に挟持対象物の挟持部を設け、前記挟持対象物の角部側に前記バネ部材の付勢力に抗して、該挟持部を開操作するための操作部を設けたカバー部材とを備えたものである。なお、本明細書において、挟持対象物とは、紙片や合成樹脂のフィルムやシートなどを意味する。
【０００７】
このコーナクリップでは、１対のカバー部材の操作部をバネ部材の付勢力に抗して相互に接近する方向に摘んで、両カバー部材の挟持部を開き、この状態で両カバー部材間に挟持対象物の角部を挿入し、その後摘んだ指を緩めて、バネ部材の付勢力により、両挟持部間に挟持対象物を挟持することになる。このように、挟持対象物の角部をコーナクリップで保持するので、１つのコーナクリップで、挟持対象物が相互にズレたりしないように位置決めしながら、角部を揃えて安定性よく挟持対象物を挟持でき、しかもクリップ本体が挟持対象物から側方へ突出することを極力防止して、挟持対象物を挟持した状態での全体的な見栄え性も向上できる。また、バネ部材をベース板に固定し、該ベース板を覆うようにカバー部材を設けるので、ベース板にはバネ部材を固定するための角穴が形成されるものの、外部に露出するカバー部材の外面は、角穴等のない綺麗でしかも大きな面となるので、このコーナクリップを販売促進用の商品として活用した場合には、カバー部材の外面を綺麗で大きな広告面として活用することが可能となる。
【０００８】
ここで、前記カバー部材の外面全面を平坦な表示面で構成することができる。表示面を平坦に構成すると、カバー部材の外面に商品名や製造メーカ名など、販売を促進したい商品の広告や、商品に付帯するイメージキャラクターなどの文字や絵柄を、印刷や転写により形成することができる。ただし、カバー部材の外面や外形をイメージキャラクター等に応じた凹凸形状や外形に形成することも可能である。この場合には、インモールド転写によりイメージキャラクター等を成形と同時に印刷することができる。
【０００９】
前記バネ部材として、途中部が挟持対象物の角部を挟む２つの辺に沿ってそれぞれ配置可能なコ字状の板バネを用いることが好ましい実施の形態である。この場合には、挟持対象物の角部を挟む２辺に板バネを当接させて、複数の挟持対象物の角部の位置をバネ部材で位置決めしながら、挟持対象物をコーナクリップで固定することができる。
【００１０】
前記カバー部材の裏面側にベース部が嵌合する凹部を形成することができる。このような凹部を形成すると、該凹部をベース部に外嵌合させて、ベース部に対してカバー部材を容易に位置決め固定することができる。
【００１１】
前記カバー部材の挟持部を円弧状に形成し、前記挟持部の円弧の突出側を突き合わせて、前記カバー部材を１対のベース板に固定することも好ましい実施の形態である。この場合には、挟持対象物に対する挟持部の面圧を局部的に高めて、コーナクリップにより挟持対象物を一層強固に保持することができる。
【発明の効果】
【００１２】
本発明に係るコーナクリップによれば、挟持対象物の角部を保持するので、１つのコーナクリップで、挟持対象物が相互にズレたりしないように位置決めしながら、角部を揃えて安定性よく挟持対象物を挟持でき、しかもクリップ本体が挟持対象物から側方へ突出することを極力防止して、挟持対象物を挟持した状態での全体的な見栄え性も向上できる。また、バネ部材をベース板に固定し、該ベース板を覆うようにカバー部材を設けるので、ベース板にはバネ部材を固定するための角穴が形成されるものの、外部に露出するカバー部材の外面は、角穴等のない綺麗でしかも大きな面となるので、このコーナクリップを販売促進用の商品として活用した場合には、カバー部材の外面を綺麗で大きな広告面として活用することが可能となる。
【図面の簡単な説明】
【００１３】
【図１】コーナクリップの斜視図
【図２】コーナクリップの分解斜視図
【図３】コーナクリップの（ａ）は平面図、（ｂ）は左側面図、（ｃ）は背面図、（ｄ）はIII-III線断面図
【図４】クリップ本体の斜視図
【図５】クリップ本体の（ａ）は平面図、（ｂ）は左側面図、（ｃ）は背面図、（ｄ）はIII-III線断面図
【図６】他の構成のコーナクリップの（ａ）は平面図、（ｂ）は左側面図、（ｃ）はVI-VI線断面図
【図７】他の構成のコーナクリップの（ａ）は平面図、（ｂ）は左側面図、（ｃ）はVII-VII線断面図
【図８】他の構成のコーナクリップの（ａ）は平面図、（ｂ）は左側面図、（ｃ）はVIII-VIII線断面図
【図９】他の構成のコーナクリップの（ａ）は平面図、（ｂ）は左側面図、（ｃ）はIX-IX線断面図
【図１０】他の構成のコーナクリップの（ａ）は平面図、（ｂ）は左側面図、（ｃ）はX-X線断面図
【図１１】他の構成のコーナクリップの（ａ）は平面図、（ｂ）は左側面図、（ｃ）はXI-XI線断面図
【図１２】他の構成のコーナクリップの（ａ）は平面図、（ｂ）は左側面図、（ｃ）はXII-XII線断面図
【発明を実施するための形態】
【００１４】
以下、本発明の実施形態について図面を参照しながら説明する。
図１〜図５に示すように、コーナクリップ１は、紙片などの挟持対象物Ｐの角部Ｃを挟持するコーナクリップ１であって、挟持対象物Ｐの角部Ｃの表裏両側に配置される１対のベース板２と、１対のベース板２における挟持対象物Ｐの中央部側が相互に接近し、且つ挟持対象物Ｐの角部Ｃを挟む２つの辺Ｓに当接して該２つの辺Ｓを位置決めするように、両ベース板２を連結する１対のバネ部材３とからなるクリップ本体４と、１対のベース板２の外面側にそれぞれ固定したカバー部材５であって、挟持対象物Ｐの中央部側の先端部に挟持対象物Ｐの挟持部５ａを設け、挟持対象物Ｐの角部Ｃ側に前記バネ部材３の付勢力に抗して、該挟持部５ａを開操作するための操作部５ｂを設けたカバー部材５とを備えている。
【００１５】
コーナクリップ１により挟持可能な挟持対象物Ｐとしては、紙片や合成樹脂などのフィルムやシートなどがあり、これら複数枚の挟持対象物Ｐを重ね合わせて挟持でき、特に挟持対象物Ｐの角部Ｃにコーナクリップ１を固定できることから、長方形状や正方形状の複数枚の挟持対象物Ｐを、角部Ｃにおいてずれないように位置決めしながら重ね合わせて好適に挟持できる。
【００１６】
ベース板２は、直角二等辺三角形の直角の角部２ａ以外の２つの角部を、直角を挟む２つの第１斜辺２ｂに直交する２つの第２斜辺２ｃに沿って切除してなる５角形状の平坦な板状に形成され、１対のベース板２には第２斜辺２ｃに沿うように１対の外面側凹部６ａが形成され、外面側凹部６ａの第１斜辺２ｂ側には挿通孔６ｂがそれぞれ形成されるとともに、挿通孔６ｂに連なって第１斜辺２ｂまで延びる内面側凹部６ｃが１対のベース板２の内面側（対向面側）に形成されている。外面側凹部６ａの底面の略中央部には係止突部６ｄが形成され、係止突部６ｄの外面には挿通孔６ｂ側へ向けて下り傾斜の傾斜面が形成され、外面側凹部６ａのうちのベース板２の底辺側には外面側凹部６ａの底面よりも一段低く凹設した係止凹部６ｅが形成されている。ただし、ベース板２としては、１対の外面側凹部６ａと１対の内面側凹部６ｃと１対の挿通孔６ｂとを有し、１対のバネ部材３を取り付け可能なものであれば、上述した５角形状以外の形状に形成したものを採用することも可能である。
【００１７】
バネ部材３は、細長い板バネを側面視略コ字状に折り曲げて製作したもので、１対のアーム部３ａと両アーム部３ａの基部を連結する連結部３ｂとを有している。両アーム部３ａは先端側へ行くにしたがって相互に接近するように形成され、両アーム部３ａの長さ方向の途中部には１対の挿通孔６ｂにそれぞれ挿通配置される段差部３ｃが外側へ向けて１段段上げして形成され、両アーム部３ａのうちの段差部３ｃよりも基部側には内面側凹部６ｃに内嵌する基部側平坦部３ｄが形成され、両アーム部３ａのうちの段差部３ｃよりも先端側には外面側凹部６ａに嵌合する先端側平坦部３ｅが形成され、先端側平坦部３ｅの中央部には係止突部６ｄに外嵌する角穴状の係合孔３ｆが形成され、アーム部３ａの先端部には一旦内側へ傾斜した後、外側へ傾斜する、係止凹部６ｅに内嵌可能なガイド部３ｇが形成されている。
【００１８】
バネ部材３は、アーム部３ａの先端部をベース板２の挿通孔６ｂに内側から挿入して、係止凹部６ｅ側へアーム部３ａを押し込むことで、図５に示すように、バネ部材３のガイド部３ｇがベース板２の係止凹部６ｅに嵌合し、バネ部材３の先端側平坦部３ｅがバネ部材３の外面側凹部６ａに内嵌合するとともに、バネ部材３の係合孔３ｆにベース板２の係止突部６ｄが係合し、バネ部材３の段差部３ｃがベース板２の挿通孔６ｂ内に配置され、バネ部材３の基部側平坦部３ｄがベース板２の内面側凹部６ｃに内嵌合することで、ベース板２に脱落しないように組み付けられている。２枚のベース板２に２つのバネ部材３を組み付けて、２枚のベース板２をバネ部材３で連結した状態で、２枚のベース板２は二等辺三角形の底辺側へ行くにしたがって相互に接近するよう配置され、バネ部材３の自然状態で、両ベース板２の底辺が僅かな隙間をあけて配置されるか、圧接されるように構成されている。なお、ベース板２に対するバネ部材３の組付構造は、上述した以外の構造を採用することも可能である。また、バネ部材３としては、板バネに代えて、金属線材をコ字状に折り曲げてなるものを採用することも可能である。
【００１９】
カバー部材５は、平面視略直角二等辺三角形の板状部材で構成され、カバー部材５の裏面側にはベース板２に略隙間なく嵌合する嵌合凹部５ｃが形成され、カバー部材５は嵌合凹部５ｃ内に接着剤を塗布した状態で、嵌合凹部５ｃにベース板２を嵌合させることによってベース板２に固着されている。カバー部材５の外面には平坦な表示面５ｄが形成され、この表示面５ｄに文字や図形を印刷したり転写したりできるように構成されている。コーナクリップ１を販売促進用の商品として用いる場合には、この平坦な表示面５ｄに、商品名や製造メーカ名などの広告や、商品に付帯するイメージキャラクターなどの文字や図形を印刷や転写により形成することになる。ただし、カバー部材５の外形をイメージキャラクター等に応じた任意の外形に形成したり、カバー部材５の表示面５ｄを、イメージキャラクター等を立体的に表現する凹凸面で形成したりすることも可能である。また、外面を凹凸面で構成する場合には、インモールド転写により、カバー部材５の成形と同時にイメージキャラクター等を印刷することができる。
【００２０】
コーナクリップ１を挟持対象物Ｐに取り付けた状態で、挟持対象物Ｐの中央部側に配置されるカバー部材５の先端部（直角二等辺三角形のカバー部材５の底辺）には挟持対象物Ｐを挟持する挟持部５ａが該先端部に沿って形成され、挟持対象物Ｐの角部Ｃ側に配置されるカバー部材５の基端部（カバー部材５の直角の角部）には挟持部５ａを開操作するための操作部５ｂが設けられている。
【００２１】
挟持部５ａは正面視直線状に形成して、両挟持部５ａが隙間なく突き合わされるように構成してもよいが、正面視円弧状に形成して、両挟持部５ａを突き合わせた状態で挟持部５ａの長さ方向の中央部が圧接し、両側部に僅かな隙間が形成されるように構成すると、挟持対象物Ｐに対する面圧を部分的に高めて、挟持対象物Ｐを強固に保持できるので好ましい。
【００２２】
このコーナクリップ１では、１対のカバー部材５の操作部５ｂを相互に接近する方向へ操作して、挟持部５ａを開いた状態で、両カバー部材５間に紙片などの挟持対象物Ｐの角部Ｃを挿入し、挟持対象物Ｐの直角を挟む２つの辺Ｓをバネ部材３の連結部３ｂに当接させて、挟持対象物Ｐの角部Ｃを揃えた状態で、操作している指を緩めて、両カバー部材５の挟持部５ａ間に挟持対象物Ｐの角部Ｃを挟持することができる。また、１対のカバー部材５の操作部５ｂを相互に接近する方向へ操作して、挟持部５ａを開いた状態で、両カバー部材５間に挟持していた紙片などの挟持対象物Ｐを取り外すことができる。
【００２３】
なお、図６〜図１２に示すコーナクリップ１Ａ〜１Ｇのように、直角二等辺三角形のカバー部材５に代えて、各種形状のカバー部材５Ａ〜１Ｇを前記実施形態と同様の構成のクリップ本体４のベース板２に接着剤等で固定することもできる。また、表面側と裏面側のカバー部材は、同じ形状に構成することも可能であるし、異種形状に構成することも可能である。更に、裏面側のカバー部材に永久磁石を固定して、冷蔵庫などの金属製の外板にコーナクリップを着脱自在に固定できるように構成することもできる。また、裏面側のカバー部材に両面テープを固定して、コーナクリップを貼着できるように構成することも可能である。
【００２４】
以上、本発明の実施形態について説明したが、本発明は前述した実施形態に何ら限定されるものではなく、本発明の要旨を逸脱しない範囲においてその構成を変更し得ることは勿論である。
【符号の説明】
【００２５】
１      コーナクリップ
２      ベース板            ２ａ    角部
２ｂ    第１斜辺            ２ｃ    第２斜辺
３      バネ部材            ３ａ    アーム部
３ｂ    連結部              ３ｃ    段差部
３ｄ    基部側平坦部        ３ｅ    先端側平坦部
３ｆ    係合孔              ３ｇ    ガイド部
４      クリップ本体
５      カバー部材          ５ａ    挟持部
５ｂ    操作部              ５ｃ    嵌合凹部
５ｄ    表示面
６ａ    外面側凹部          ６ｂ    挿通孔
６ｃ    内面側凹部          ６ｄ    係止突部
６ｅ    係止凹部
Ｃ      角部                Ｐ      挟持対象物
Ｓ      辺
１Ａ〜１Ｇ  コーナクリップ
５Ａ〜１Ｇ  カバー部材１Ａ-１Ｇ    コーナクリップ
【図１】
2012245656.tif 000003
【図２】
2012245656.tif 000004
【図３】
2012245656.tif 000005
【図４】
2012245656.tif 000006
【図５】
2012245656.tif 000007
【図６】
2012245656.tif 000008
【図７】
2012245656.tif 000009
【図８】
2012245656.tif 000010
【図９】
2012245656.tif 000011
【図１０】
2012245656.tif 000012
【図１１】
2012245656.tif 000013
【図１２】
2012245656.tif 000014